(57)【要約】【課題】  着物７がしわにならず、小物９類を同時に面倒にならずに持ち運びでき、且つ、予め形成した帯結びを維持したまま持ち運びができる着物着付けセット用鞄１を提供する。【解決手段】  着物着付けセット用鞄１は、着物７の着付けに用いる小物９を収納可能な箱形状に形成された小物収納部３と、略矩形に折りたたんだ着物７を収納可能な矩形に形成され、前記小物収納部３の上面に長手方向の中央部で２つ折りにして吊り下げられ、且つ、前記小物収納部３に固着自在な着物ケース４と、前記着物ケース４を跨いで両端が前記小物収納部３に取付けられる長手形状の把持部５と、を備える。【選択図】図１
2008154794.tif 000002
【特許請求の範囲】
【請求項１】
着物の着付けに用いる小物を収納可能な箱形状に形成された小物収納部と、
略矩形に折りたたんだ着物を収納可能な矩形に形成され、前記小物収納部の上面に長手方向の中央部で２つ折りにして吊り下げられ、且つ、前記小物収納部に固着自在な着物ケースと、
前記着物ケースを跨いで両端が前記小物収納部に取付けられる長手形状の把持部と、を備えることを特徴とする着物着付けセット用鞄。
【請求項２】
前記小物収納部は、一方の側面から底面を経て他方の側面に連なるスライドファスナにより開閉自在であることを特徴とする請求項１に記載の着物着付けセット用鞄。
【請求項３】
所定の保形具を用いて予め帯結びを形成した帯の手先を固定して収納するとともに前記帯の手先から伸びる帯の手を収納する手収納部、及び、前記保形具を固定するとともに前記帯結びを収納可能な帯結び収納部を含む帯収納部を更に備え、
該帯収納部は前記着物ケース外側面に固着されていることを特徴とする請求項１又は請求項２に記載の着物着付けセット用鞄。
【発明の詳細な説明】
【技術分野】
【０００１】
本発明は、着物、帯、及び着付けに用いる小物を持ち運びできる鞄に関する。
【背景技術】
【０００２】
従来、外出先で着物を着付けるときには、畳紙に包んだ着物を２つ折りにして、風呂敷等に包んで持ち運ぶか、又は、畳紙に包んだ着物をそのまま衣装箱にいれて、運送業者に運搬を依頼するかしていた。しかし、着物は一般に正絹等の柔らかく、形を維持しにくいものであり、着物が皺になることを抑えながら風呂敷に包んで持ち運ぶことは困難であった。また、運送業者に依頼する場合は、費用もかかるので、気軽に着物を楽しむことができなかった。
【０００３】
そこで、着物専用鞄として、例えば、開鞄時、畳んだ状態の着物大の長方形状をなし、長辺側に均一幅のマチ部とマチ部の延長片として着物押え片をなし、中央部を中心に長辺に対し直角に折り曲げ可能とするための折り曲げ部開口と該着物押え中央部に折り畳み用溝、さらに短辺一端に鞄の被せ部を設けたくり貫き一体成形の着物専用鞄であり、数箇所の切り込みを設けた薄板状本体からなる着物ホルダーで固定された着物を内部に収納可能としたものが提案されている。これによると、皺になることを極力抑えつつ、着物の持ち運びが容易である（例えば特許文献１）。
【０００４】
一方、着物の着付けにおいて、帯結びはお太鼓などの結びの形を背中に形成するため、一人で帯を結ぶ場合、鏡で背中部分を写しながら、形を整えて結ばなければならないので、ひとりで楽に美しい帯結びを形成することは困難である。そこで、近年、身体に帯を結ぶ前に、予め形を整えておき、この形を保持するための保形具が色々開発されてきている（例えば特許文献２）。
【特許文献１】特開２０００−３５０６５０号公報
【特許文献２】特開２００６−１４４１５１号公報
【発明の開示】
【発明が解決しようとする課題】
【０００５】
しかしながら、以上のような保形具を用いて帯結びを形成する場合でも、外出先で短時間に美しい形状の帯結びを形成することは、着物の着付け初心者にとっては困難な作業である。
【０００６】
また、上述のような着物着付けセット用鞄を用いて、着物の持ち運びをする場合に、別途、着物の帯や保持具、伊達締め、帯締め、足袋等の小物類を持ち運ばなければならず面倒であるとともに、小物のいくつかを入れ忘れ易い。
【０００７】
そこで、本発明は、着物がしわにならず、小物類を同時に面倒にならずに持ち運びでき、且つ、予め形成した帯結びを維持したまま帯を持ち運びができる着物着付けセット用鞄を提供することを目的とする。
【課題を解決するための手段】
【０００８】
上記目的を達成するための請求項１に記載の着物着付けセット用鞄は、着物の着付けに用いる小物を収納可能な箱形状に形成された小物収納部と、略矩形に折りたたんだ着物を収納可能な矩形に形成され、前記小物収納部の上面に長手方向の中央部で２つ折りにして吊り下げられ、且つ、前記小物収納部に固着自在な着物ケースと、前記着物ケースを跨いで両端が前記小物収納部に取付けられる長手形状の把持部と、を備えることを特徴とするものである。
【０００９】
請求項２に記載の着物着付けセット用鞄は、請求項１に記載の着物着付けセット用鞄であって、前記小物収納部は、一方の側面から底面を経て他方の側面に連なるスライドファスナにより開閉自在であることを特徴とするものである。
【００１０】
請求項３に記載の着物着付けセット用鞄は、請求項１又は請求項２に記載の着物着付けセット用鞄であって、所定の保形具を用いて予め帯結びを形成した帯の手先を固定して収納するとともに前記帯の手先から伸びる帯の手を収納する手収納部、及び、前記保形具を固定するとともに前記帯結びを収納可能な帯結び収納部を含む帯収納部を更に備え、該帯収納部は前記着物ケース外側面に固着されていることを特徴とするものである。
【発明の効果】
【００１１】
請求項１に記載の着物着付けセット用鞄によると、小物を収納した鞄と着物ケースとを同時に片手で持ち運びすることができる。また、一般的な畳み方をした着物を矩形の着物ケースに収納して、着物ケースの長手方向の中央部で小物収納部の上面に２つ折りにして吊り下げられるので、着物が持ち運びされる時に皺になりにくい。特に小物収納部の上面は一定の幅を有するので、着物に折り目や皺が寄るのをいっそう確実に防ぐことができ、更に、鞄は無駄なスペースを作らないのでよりコンパクトな鞄とすることができる。また、把持部の両端が着物ケースを跨いで小物収納部に取付けられるので、着物ケースに内包されている着物を安定して持ち運びすることができる。さらに、小物収納部には、伊達締め、帯締め、足袋等の小物類を収納できるので、面倒にならずに持ち運びでき、着付け用小物を忘れることを防ぐことができる。また、着物ケースが小物収納部に固着自在であるので、着物ケースに着物を収納するときには、小物収納部から着物ケースを取り外し、着物ケースを平板状に展開して着物を収納することができるので、より容易に着物を収納することができる。
【００１２】
請求項２に記載の着物着付けセット用鞄によると、小物収納部は、一方の側面から底面を経て他方の側面に連なるスライドファスナにより開閉自在であるので、着物ケースを取り外すことなく小物収納部のスライドファスナを開けることができる。したがって、着物を取り出す必要がないときに小物収納部に収納した小物類のみを極めて簡便に取り出すことができる。
【００１３】
請求項３に記載の着物着付けセット用鞄によると、予め所定の保形具を用いて形成した帯結び及び帯の手を収納して、帯の手先及び帯の保形具を固定するものであるので、帯結びの形が維持された状態で帯が固定される。したがって、予め形成した帯結びを維持したまま、帯を持ち運びすることができる。
【００１４】
すなわち、自宅などで帯結びの形を整えた後に、帯を着物着付けセット用鞄に収納し、外出先に持ち運んで、帯結びの形が整った状態の帯を取り出して着物の着付けに用いることができる。したがって、短時間で美しい形状の帯結びを着用することができる。
【００１５】
以上のように、本願の請求項１乃至３の着物着付けセット用鞄を用いると、小物、着物、及び帯結びの形が整った状態の帯を収納して運搬できるので、片手で着物の着付けに必要なもの一切を持ち運びでき、且つ、外出先で極めて容易に着物の着付けをすることができる。このため、着物の普及に大きく貢献し得るものである。
【発明を実施するための最良の形態】
【００１６】
以下、本発明の実施形態について、図面を参照しつつ説明する。
【００１７】
まず、本発明の着物着付けセット用鞄１の全体構成について、図１及び図２を参照しつつ説明する。図１は、着物着付けセット用鞄１の一例を示す簡略斜視図である。また、図２は着物着付けセット用鞄１のａ−ａ断面を示す図である。着物着付けセット用鞄１は、帯収納部２、小物収納部３、着物ケース４、及び把持部５からなる。帯収納部２は、着物ケース４の一面に例えば縫合により固定されて突出した略直方体形状をしている。そして、帯収納部２の突出面側の周囲には帯収納部開閉用ファスナ２４が開閉自在に縫合されている。なお、本実施形態においては、帯収納部２を着物ケース４の一面に縫合しているが、例えば着物ケース４の一面と着物ケース４の一面に相対する帯収納部２の一面とに雌雄の異なる面ファスナを貼着させて、それぞれの面ファスナを係着させて固定する構成としても良い。このように構成すると、帯結びを形成した帯を持ち運びする必要がない場合には、帯収納部２を取り外した着物着付けセット用鞄１を用いることができるので、よりコンパクトな鞄とすることができる。
【００１８】
また、帯収納部２の横幅を、例えば４０ｃｍに形成し、一般的な帯のたれの幅よりも大きくすることで、図２に示すように、袋帯、名古屋帯、袋名古屋帯、京袋帯、及び単帯等のお太鼓部分の幅が３０ｃｍ程度である帯６を帯結びを形成した状態で収納することができる。なお、帯６の幅が３０ｃｍよりも短い２０ｃｍ程度である細帯を帯結びを形成した状態で収納できることは云うまでもない。また、横幅が帯６の幅よりも１０ｃｍほど大きくすることで、角出結び、ふくら雀、文庫結び、及び縦矢結びのように帯結びの幅が帯６の幅よりも大きくなる帯結びを行った場合にも、帯６を帯結びを形成した状態で収納することができる。
【００１９】
なお、帯収納部２は図３に示すように帯６を収納しない時には、予め形成してある折り目２３に沿って、上下左右の各面を外側が谷になるように折りたたんで奥行を小さくすることができる。したがって、帯結びを形成した帯６を収納しなければならないときには帯収納部２を大きくして帯６を収納するとともに、帯結びを解いた後は着物７と共に着物ケース４の中に帯６を収納して、帯収納部２は小さく折りたたむことで、着物着付けセット用鞄１をかさ張らずに運搬することができる。図示しないが、帯収納部２を小さく折りたたんだ状態を維持するために、スナップボタンや面ファスナなどを備えるものとしても良い。すなわち、帯収納部２の上下左右の各面の着物ケース４側端部及び着物ケース４と反対側端部にそれぞれ雌雄の異なるスナップボタンや面ファスナを固着し、帯収納部２を折りたたんだときにはスナップボタンまたは面ファスナを相互に係着させることで、帯収納部２を小さく折りたたんだ状態を維持することができる。
【００２０】
小物収納部３は、略直方体形状であり、図４に示すように、左右両側面及び底面がスライドファスナ３１により開閉自在に構成されている。そして、着物ケース４は、小物収納部３の上面に２つ折りして吊り下げられて着脱自在となっているので、着物ケース４を小物収納部３から取り外すことなく、小物収納部３のスライドファスナ３１を開閉することができる。したがって、例えば出先などで小物９類のみを取り出したい場合に、極めて簡便に取り出すことができる。なお、スライドファスナ３１を小物収納部３の上面に設けて開閉するようにしても良いが、この場合には小物収納部３を開閉する際に着物ケース４を取り外す必要が生じる。また、この小物収納部３の上面３２の左右両縁付近には把持部５のそれぞれの端部が着物ケース４を跨ぐように固定されている。
【００２１】
着物ケース４は、図１０に示すように、２つ折りにして小物収納部３の上面３２に吊り下げられる可撓性のある長方形シート形状である。この着物ケース４は、矩形に折りたたんだ着物７を内包できる空間を内部に有し、小物収納部３に取付けたときに外側となる面が大きく開口した本体部４２と、この本体部４２の開口の一方の側縁に連なる蓋部４３と、本体部４２の開口と及び蓋部４３の外周に形成される着物ケース用スライドファスナ４１と、からなり、本体部４２の開口と蓋部４３の外周とを当接させて、スライドファスナ４１を係合させるものである。なお、図２に示すように、小物収納部３が着物ケース４を吊り下げたときに小物収納部３及び着物ケース４の相互に密着する面には、それぞれ面ファスナ３３、４２が複数貼付されており、これらの面ファスナ３３、４２を貼り合わせることにより、着物ケース４は小物収納部３に着脱自在に固定されている。したがって、着物７を運搬するときには、着物ケース４を小物収納部３に取付けて運搬することができ、着物７を出し入れするときには、小物収納部３から取り外して、着物ケース４を平らにして着物７を入れることができ、着物の出し入れが容易になる。
【００２２】
把持部５は、長尺な帯状の部材であって、その両端部が小物収容部３の上面における幅方向両端にそれぞれ固定されることにより若干弛みを持った状態となっている。そして、その長手方向の中央付近には携帯者が持ち易いように例えば革製の持ち手５１が形成され、所定位置には把持部５の長さを調節する調節装置５２が取付けられている。なお、この把持部５の取付け位置は、小物収容部３の上面に限ることなく側面であってもよい。
【００２３】
次に、図５から図８を参照しつつ帯収納部２の内部構成について説明する。帯収納部２は、図５に示すように、手収納部２１と帯結び収納部２２とを内包する。手収納部２１は帯６の手先６１を固定する手先固定具２１１と、帯６の手６２を巻きつける２本の巻きつけ具２１２と、手先固定具２１１及び巻きつけ具２１２を支持する上下一対のベース２１４とからなる。手先固定具２１１はその長手方向にスリット状の貫通孔２１３を有する円柱形状であり、貫通孔２１３に帯６の手先６１部分を挿入して固定することができる。また、図６に示すように、帯６の手６２の折り曲げ部である手先６１の内側に棒状部材６３１を入れてこれに取付けた引掛け具６３を手先固定具２１１に引掛けて固定させることもできる。手先６１に引掛け具６３を取付けた場合には、着物７を着衣する際に着衣者の胴回りに帯を巻いた後に、この引掛け具６３を帯の保形具８に引掛けて、帯６を胴回りに締めることができるので、より短時間で簡単に帯を締めることができる。
【００２４】
また、巻きつけ具２１２には手先固定具２１１に手先６１が固定された帯６の手６２が巻きつけられる。ベース２１４は、帯収納部２の上面及び底面に設けられた凹部材２１５に嵌着でき、着脱自在となっている。巻きつけ具２１２に帯６の手６２を巻きつけるときには、帯収納部２の上面及び底面からベース２１４を取り外して巻きつけ具２１２に帯６を巻きつけ、その後、帯収納部２の上面及び底面の凹部材２１５にベース２１４を嵌めこんで固定する。なお、この凹部材２１５とベース２１４との嵌めこみ固定に代えて他の手段によってベース２１４を帯収納部２の上面及び底面に固定するようにしてもよい。
【００２５】
帯結び収納部２２は、図７に示すように、帯６が収納可能なように帯６の幅よりも大きな幅をもった空間である。帯結び収納部２２の着物ケース４側の内壁面には、ゴム紐により形成された２本の固定バンド２２１が所定間隔をおいて上下方向にそれぞれ延設され、各固定バンド２２１はその上下両端部において内壁面にそれぞれ固定されている。また、着物ケース４側の内壁面の一方の側縁には固定紐２２２が取付けられ、他方の側縁にはこの固定紐２２２の先端を固定する係止金具２２３が取付けられている。
【００２６】
保形具８によりお太鼓６４を形成して保形されている帯６をこの帯結び収納部２２に収納するときには、図７及び図８に示すように、お太鼓６４の裏面側にある保形具８を帯結び収納部２２の着物ケース４側の壁面に向け、保形具８を内壁面と２本の固定バンド２２１とで挟み込んで固定する。そして、着物ケース４側の内壁面の一方の側縁に一端が固定されている固定紐２２２をお太鼓６４の内部に通して、他方の側縁に固定されている係止金具２２３で固定紐２２２の先端を固定する。これにより保形具８が固定され、また、帯６のお太鼓６４の内部に固定紐２２２が通されるので、より確実に保形される。
【００２７】
なお、保形具８は、帯結びを形良く結ぶ補助をするとともに、形作られた帯結びの形を維持する扁平な板であり、公知の様々な保形具を用いることができる。本実施形態においては帯枕８１が固定された保形具８が用いられているが、例えば肩流しや都結びのように、帯枕８１を必要としない帯結びであるときには、帯枕８１が固定されていない保形具８を用いることができる。
【００２８】
また、図７及び図８においては図示していないが、保形具８の上下左右４箇所と、お太鼓６４を結んだ帯６と、はそれぞれ帯固定用クリップで挟持して固定されており、これにより帯６のお太鼓６４の形状は保たれている。また、図７及び図８において示すように、お太鼓６４の内部では帯枕８１を包むようにして帯揚げ６５が設置されている。この帯揚げ６５は、左右に長い帯形状をしており、例えば中心部付近でお太鼓６４を包んだ後、お太鼓６４の左右両側でそれぞれ結び目を作ることで固定することができる。また、お太鼓６４内部には帯締め６６が配置されている。帯締め６６は、例えばお太鼓の左右両縁でクリップなどで保形具８と共に挟むことで固定することができる。
【００２９】
次に、図９を用いて小物収納部３の内部構成について説明する。小物収納部３のスライドファスナ３１を開いて展開すると、図９に示すように、伊達締め９１、腰紐９２、衿芯９３、足袋９４、半襟９５、帯板９６、帯揚げ６５、帯締め６６、保形具８、帯枕８１、等をそれぞれ収納して固定できるように形成されている。すなわち、それぞれの小物９の形状に応じた固定用伸縮バンド９７の両端が小物収納部３の内部に取り付けられており、固定用伸縮バンド９７と小物収納部３の内壁とで各小物９を挟み込むことにより固定する。なお、小物収納部３の構成は、これに限られず、例えば小物収納部３の内壁に複数のポケットを設け、各小物９をポケットに挿入する構成であっても良い。また、小物が収納された複数の袋や箱を、収納できるように構成しても良い。また、収納すべき小物９の種類は上述したものに限られない。例えば、着物用ハンドバックや草履などを収納できる形状のものであっても良い。なお、小物収納部３の内壁の各小物９の収納位置にそれぞれの小物９の名前を記載しておいても良い。このようにすれば、着物７の着付けに必要な小物９を確実に忘れることなく外出先に持っていくことができる。
【００３０】
着物ケース４に着物７を収納するときには、図１０に示すように、着物ケース４を小物収納部３から取り外して平板状に展開し、更に、着物ケース用スライドファスナ４１をひらいて、蓋部４３を本体部４２の開口から捲くりあげる。そして、本体部４２の内部に形成された空間に、矩形に折りたたんだ着物７を収納する。なお、このとき本体部４２の開口の大きさが矩形に折りたたんだ着物７の大きさよりも大きく形成されているので、皺が寄ることなく、着物７を内部に収納できる。また、着物ケース４には、着物７以外にも、矩形に折りたたんだ長襦袢、肌襦袢、裾よけ等を収納することができる。さらに、帯結びを形成していない帯６も折りたたんで収納できる。以上のようにして、着物７や長襦袢などを収納した後に、蓋部４３を本体部４２の開口に閉じ合わせて、着物ケース用スライドファスナ４１をスライドさせて閉じると、内包した着物７や長襦袢などが、着物ケース４の蓋部４３内面及び本体部４２内面に密着して固定される。なお、図１０には図示していないが、着物ケース４に着物７を収納する際には、通常は矩形に畳んだ着物７を畳紙で包んだ後に、着物ケース４に収納する。そして、この着物ケース４は、着物着付けセット鞄１の小物収納部３の上面３２に長手方向の中心が二つ折りして吊り下げられ、面ファスナ３３、４２により固定される。小物収納部３の上面３２は小物収納部３の厚み分の幅を持つので、着物ケース４は完全な二つ折りで吊り下げられるのではなく、Ｕ字形状で吊り下げられることとなるので、内部に収納された着物７などに折れ目が付きにくい。
【００３１】
以上のように、本実施例に係る着物着付けセット用鞄１は、矩形に折りたたんだ着物７を着物ケース４に収納して、二つ折りにして吊り下げて運搬できるので、着物７に皺や折れ目をつけることなく持ち運びできる。更に、小物収納部３に各小物９類を漏れなく収納できるので、小物９の運搬に別の鞄を用意する必要が無く、また、着付けに必要な小物９を忘れることがない。更に、保形具８を用いてお太鼓６４などの帯結びを予め形成し、この帯結びの形状を維持したまま収納運搬できる。したがって、着物の持ち運びが容易であるとともに外出先などで着付けをする場合に、短時間で、極めて容易に着付けをすることができる。
【００３２】
なお、本発明は上述の実施形態に限定されるものではなく、本発明の技術的思想を逸脱しない範囲における種々の変形例、設計変更などをその技術的範囲内に包含するものであることは云うまでもない。
【産業上の利用可能性】
【００３３】
本発明に係る着物着付けセット用鞄は、着物、帯、小物類を容易に運搬できる鞄としてに好適に用いることができる。そして、本発明に係る着物着付けセット用鞄を用いることで、出先などで気軽に着物の着付けを行うことができるので、従来着物を着る習慣が無かった人でも気軽に着物の着付けを楽しむことができる。これによって、着物の着用の習慣が付き易くなり、日本古来の服装である着物の普及大きく貢献できる。
【図面の簡単な説明】
【００３４】
【図１】本発明の着物着付けセット用鞄１の一例を示す斜視図である。
【図２】本発明の着物着付けセット用鞄１のａ−ａ断面図である。
【図３】図１の着物着付けセット用鞄１の帯収納部２を折りたたんだ図である。
【図４】小物収納部３のスライドファスナ３１を開いた状態を示す斜視図である。
【図５】帯収納部２の内部構成を示す簡略斜視図である。
【図６】手先６１を巻いた状態における図５のｂ−ｂ拡大断面図である。
【図７】帯収納部２の帯結び収納部２２に帯を収納した状態を側面から見た一部省略断面図である。
【図８】帯収納部２に帯結びを形成した帯６を収納した状態を示す斜視説明図である。
【図９】小物収納部３のスライドファスナ３１を開いて展開した図である。
【図１０】着物ケース４に着物７を収納した状態を示す図である。
【符号の説明】
【００３５】
１    着物着付けセット用鞄
２    帯収納部
３    小物収納部
４    着物ケース
５    把持部
６    帯
７    着物
８    保形具
９    小物
２１  手収納部
２２  帯結び収納部
３１  スライドファスナ
６１  手先
６２  手
【図１】
2008154794.tif 000003
【図２】
2008154794.tif 000004
【図３】
2008154794.tif 000005
【図４】
2008154794.tif 000006
【図５】
2008154794.tif 000007
【図６】
2008154794.tif 000008
【図７】
2008154794.tif 000009
【図８】
2008154794.tif 000010
【図９】
2008154794.tif 000011
【図１０】
2008154794.tif 000012